(57)【要約】【課題】火災が発生しても外枠とアタッチメントとの間に生じる隙間を封止できる。【解決手段】排煙窓１４は、障子１５が嵌め込まれた外枠における左右の縦枠１１ａの内面に縦アタッチメント枠１８を固定し、縦アタッチメント枠１８に第一加熱発泡材３２を固定した。外枠の上枠、下枠にもそれぞれアタッチメント枠を固定し、各アタッチメント枠に第二加熱発泡材、第三加熱発泡材をそれぞれ固定した。火災発生時に、縦枠１１ａ、上枠、下枠と各アタッチメント枠との間に隙間が発生しても、第一加熱発泡材３２、第二、第三加熱発泡材の熱膨張で隙間を封止する。【選択図】図４
2015052225.tif 000002
【特許請求の範囲】
【請求項１】
障子が嵌め込まれた外枠の前記障子側内面にアタッチメントが取り付けられ、前記外枠と前記アタッチメントとの間に加熱発泡材が設けられており、
前記外枠と前記アタッチメントとの間に生じる隙間を前記加熱発泡材の膨張によって封止するようにしたことを特徴とする建具。
【請求項２】
前記加熱発泡材は外枠またはアタッチメントに沿って全周に設けられている請求項１に記載された建具。
【請求項３】
前記外枠は左右の縦枠と上枠と下枠とで形成され、前記縦枠と上枠と下枠は両端面が長手方向に直交する切断面とされている請求項１または２に記載された建具。
【発明の詳細な説明】
【技術分野】
【０００１】
本発明は、ＦＩＸ窓（嵌め込み窓）や引き違い障子や排煙窓等の障子を納めた窓やドア等を含む建具に関する。
【背景技術】
【０００２】
従来、特許文献１に記載された連続ストアフロントでは、左右の縦枠と上枠及び下枠とからなる枠体において、左右の縦枠と上下枠の各両端面は長手方向に直角に切断された（これをぶつ切りという）切断面を有しており、枠体の左右の縦枠に上枠と下枠の両端面が当接して連結されている。そして、左右の縦枠と上枠及び下枠とにおける呑み込み部の開口端部にアタッチメントを設けることで、嵌め込みタイプ以外の各窓種タイプに対応できるようにしている。
【０００３】
また、図１０〜図１２に示すストアフロント等に用いられる店装商品であるＦＩＸ窓１は、例えば建物の開口部に固定された左右の縦枠２ａと上枠２ｂ及び下枠２ｃを組み立てた外枠２内に障子３が嵌め込まれている。障子３は左右の縦框３ａと上框３ｂ及び下框３ｃとからなる框体内にガラスパネルを保持している。しかも、店装商品の外枠２と障子３は、各枠体と各框体の両端面が長手方向に直角をなす切断面を有しており、外枠２の左右の縦枠２ａと上枠２ｂ及び下枠２ｃの内面には、窓用のアタッチメント枠４がねじ等でそれぞれ固定されている。そのため、障子３はアタッチメント枠４を介して外枠２に嵌め込まれている。
【０００４】
ちなみに、図１０〜図１２は外枠２と障子３との嵌合部を示すものであり、図１０において、外枠２の縦枠２ａにアタッチメント枠４がねじで固定されており、しかも縦枠２ａとアタッチメント枠４との屋外側の接合部は不燃性の気密材５ａによって封止されている。また、同様に、図１１では、外枠２の上枠２ｂとアタッチメント枠４とがねじで固定され、図１２では外枠２の下枠２ｃとアタッチメント枠４とがねじで固定されている。そして、上枠２ｂとアタッチメント枠４との接合部、下枠２ｃとアタッチメント枠４との接合部はそれぞれ不燃性の気密材５ｂ、５ｃによって気密または水密に封止されている。
【先行技術文献】
【特許文献】
【０００５】
【特許文献１】特開平７−１９７７４２号公報
【発明の概要】
【発明が解決しようとする課題】
【０００６】
しかしながら、図１０〜図１２に示すＦＩＸ窓１では、室内や室外で火災等が発生すると、外枠２の縦枠２ａ、上枠２ｂ、下枠２ｃと比較してアタッチメント枠４は薄い板状であるため熱変形の度合いが相違し、アタッチメント枠４の方が熱による変形の度合いが大きい。そのため、縦枠２ａ、上枠２ｂ、下枠２ｃとアタッチメント枠４との間に隙間が生じてしまう。この場合、縦枠２ａ、上枠２ｂ、下枠２ｃとアタッチメント枠４の変形によって生じる隙間の封止は気密材５ａ，５ｂ，５ｃに依存しているが、火災等によるアタッチメント枠４の熱変形が大きいと、隙間が外枠２とアタッチメント枠４との間に生じてしまう。すると、空気や火炎が図中の矢印で示すように隙間を通して屋内外に連通して火災が拡大するという不具合があった。
【０００７】
また、特許文献１に記載されたストアフロント等でも同様に、火災時に外枠とアタッチメントとの間で隙間を生じて火災が拡大するという欠点があった。
【０００８】
本発明は、このような課題に鑑みてなされたものであって、屋内や屋外で火災が発生したとしても、熱によって外枠とアタッチメントとの間に生じる隙間を封止できるようにした建具を提供することを目的とする。
【課題を解決するための手段】
【０００９】
本発明による建具は、障子が嵌め込まれた外枠の障子側内面にアタッチメントが取り付けられ、外枠とアタッチメントとの間に加熱発泡材が設けられており、外枠とアタッチメントとの間に生じる隙間を加熱発泡材の膨張によって封止するようにしたことを特徴とする。
本発明によれば、火災発生時に外枠とアタッチメントが熱変形して外枠とアタッチメントの間に隙間が生じたとしても、加熱発泡材が膨張することで隙間を封止することができるため、屋内外への火炎の連通を防止できて火災の拡大を抑制できる。なお、加熱発泡材は外枠とアタッチメントのいずれに取り付けてもよい。
【００１０】
また、加熱発泡材は外枠またはアタッチメントに沿って全周に設けられていることが好ましい。
外枠とアタッチメントの変形量は火災等の際の温度分布やアタッチメントの形状や厚みの違いによって異なるため、外枠とアタッチメントとの間の隙間は外枠の周方向にいずれの位置でも生じ得るが、全周に加熱発泡材を設ければいずれの位置に隙間が発生しても確実に封止できる。なお、加熱発泡材は外枠とアタッチメントのいずれか一方に設けてもよいし、両方に交互に設けてもよい。
【００１１】
また、外枠は左右の縦枠と上枠と下枠とで形成され、縦枠と上枠と下枠は両端面が長手方向に直交する切断面とされていることが好ましい。
外枠の縦枠と上枠と下枠の両端面が長手方向に直交する切断面であれば、縦枠と上枠と下枠のいずれの枠体間の接合も側面と端面を当接させて、接合部に凹凸を生じないで形成することができるため、加熱発泡材を外枠やアタッチメントに固定する場合でも連続して固定することが容易である。
【発明の効果】
【００１２】
本発明による建具によれば、外枠とアタッチメントとの間に加熱発泡材を取り付けたから、火災時に外枠とアタッチメントが熱変形して両者の間に隙間が生じたとしても加熱発泡材の熱膨張によって隙間を封止することができて、屋内外への火炎や空気の流通を防止することができる。
【図面の簡単な説明】
【００１３】
【図１】本発明の実施形態による段窓を示す正面図である。
【図２】図１に示す段窓のＡ−Ａ線水平断面図である。
【図３】図１に示す段窓のＢ−Ｂ線縦断面図である。
【図４】図２に示す縦枠の縦アタッチメント枠部分の拡大断面図である。
【図５】図３に示す上枠の上アタッチメント枠部分の拡大断面図である。
【図６】図３に示す下枠の下アタッチメント枠部分の拡大断面図である。
【図７】図４に示す加熱発泡材が膨張した状態の要部拡大縦断面図である。
【図８】図５に示す加熱発泡材が膨張した状態の要部拡大断面図である。
【図９】図６に示す加熱発泡材が膨張した状態の要部拡大断面図である。
【図１０】従来の外枠の縦枠と段窓の縦框との要部拡大縦断面図である。
【図１１】従来の外枠の上枠と段窓の上框との要部拡大縦断面図である。
【図１２】従来の外枠の下枠と段窓の下框との要部拡大縦断面図である。
【発明を実施するための形態】
【００１４】
以下、本発明の実施形態による建具としての段窓を図１乃至図９に基づいて説明する。
図１に示す実施形態による段窓１０はストアフロント等の店装商品であり、上述した従来技術に示す段窓と同様な構成を備えている。段窓１０は建物の躯体に形成された開口部に設置されている。段窓１０は、外側の四角形の外枠１１Ａが中央部に設けた無目１２で仕切られており、外枠１１Ａにおける無目１２の下部の領域にはＦＩＸ窓（嵌め込み窓）１３が配設され、上部の領域に開閉可能な排煙窓１４が配設されている。
なお、段窓１０の外枠１１Ａは左右の縦枠１１ａと上枠１１ｂと下枠１１ｃとで構成されている。本実施形態における排煙窓１４の外枠も左右の縦枠１１ａと上枠１１ｂと無目１２とで構成されており、これを外枠１１と定義する。
【００１５】
図１乃至図３において、段窓１０における排煙窓１４は、外枠１１Ａと無目１２で形成された上部の外枠１１内にアタッチメント枠部１６が固定され、アタッチメント枠部１６内に開閉可能な障子１５が設置されている。アタッチメント枠部１６は左右の縦アタッチメント枠１８と上アタッチメント枠１９及び下アタッチメント枠２０とで形成され、縦アタッチメント枠１８、上アタッチメント枠１９、下アタッチメント枠２０は略角筒状であり、各両端面が長手方向に対して直角に切断されたぶつ切りの切断面を有している。そして、図１において、左右の縦アタッチメント枠１８の側面に上アタッチメント枠１９と下アタッチメント枠２０の各端面を当接させてタッピングねじ等で固定している。
【００１６】
また、アタッチメント枠部１６の内側に設置された障子１５は左右の縦框２２と上框２３及び下框２４とで形成され、内部にガラスパネル２５を保持している。左右の縦框２２と上框２３及び下框２４は各両端面が長手方向に直角に切断されたぶつ切りの切断面を有する。そして、図１から図３において、左右の縦框２２に上框２３と下框２４の各端面を当接させてタッピングねじ等で固定している。また、排煙窓１４の障子１５は下框２４に図示しないヒンジが設けられ、上框２３にロック可能な錠が設けられていて、下框２４のヒンジを中心に開閉可能とされている。
【００１７】
そして、図２及び図４に示す外枠１１において、縦枠１１ａの内面には窓用の縦アタッチメント枠１８がねじ２６で固定されている。この縦アタッチメント枠１８は例えば縦枠１１ａ方向を向く断面略コの字形状の本体１８ａと縦框２２側に延びる戸当り部１８ｂとを有している。
縦アタッチメント枠１８の屋外側端面には、外枠１１の縦枠１１ａに当接する第一凹部１８ｃと縦框２２側に設けた第二凹部１８ｄが形成され、第一凹部１８ｃと第二凹部１８ｄに不燃性の第一シール材２８と第二シール材２９がそれぞれ嵌合されている。
【００１８】
また、縦アタッチメント枠１８の戸当り部１８ｂの先端に形成した第三凹部１８ｅには不燃性の第三シール材３０が嵌合され、障子１５の縦框２２に当接している。更に、外枠１１の縦枠１１ａと縦アタッチメント枠１８との間の空間内において縦アタッチメント枠１８の本体１８ａに第一の加熱発泡材３２がねじや接着剤等で固定されている。
【００１９】
また、図３及び図５において、上枠１１ｂの内面には窓用の上アタッチメント枠１９がねじ２６で上枠１１ｂに固定されている。この上アタッチメント枠１９は上枠１１ｂ側を向く断面コの字状の本体１９ａと本体１９ａから上框２３側に延びる戸当り部１９ｂとを有している。そして、上アタッチメント枠１９における屋外側端部に第一凹部１９ｃと第二凹部１９ｄを形成して不燃性の第四シール材３５と第五シール材３３を嵌合させると共に、屋内側端部における上枠１１ｂ側に形成した凹部１９ｅにねじや接着剤等で固定された第二の加熱発泡材３６を設けている。また、戸当り部１９ｂの先端部に設けた第三凹部１９ｆには障子１５の上框２３に当接する不燃性の第六シール材３７を嵌合させている。
【００２０】
更に、図３及び図６において、外枠１１の無目１２には窓用の下アタッチメント枠２０がねじ２６で固定されている。この下アタッチメント枠２０は無目１２側を向く断面コの字状の本体２０ａと反対側の下框２４側に延びる戸当り部２０ｂとを有している。そして、下アタッチメント枠２０における屋外側端部に第一凹部２０ｃを形成して不燃性の第七シール材４１を嵌合させると共に、本体２０ａにおける屋内側端部に第三の加熱発泡材４２がねじや接着剤等で固定されている。また、戸当り部２０ｂの先端部に設けた第二凹部２０ｄには障子１５の下框２４に当接する不燃性の第八シール材４３を嵌合させている。
【００２１】
また、無目１２の屋外側端部には押縁部材４４が設けられ、押縁部材４４を下アタッチメント枠２０の屋外側端部の第七シール材４１に当接させた状態で無目１２に押圧して室内側に押圧固定している。ここでは、第三の加熱発泡材４２は押縁部材４４が溶けて火炎が貫通しないように押縁部材４４を外れた下アタッチメント枠２０の屋内側端部に設置されている。
また、排煙窓１４において、障子１５は開放時に下框２４のヒンジを中心に外側に回動し、閉鎖時には障子１５が閉鎖して各アタッチメント枠１８、１９，２０の戸当り部１８ｂ、１９ｂ、２０ｂに当接して停止する。
【００２２】
上述した外枠１１において、左右の縦枠１１ａ、上枠１１ｂ、無目１２のそれぞれの内面に窓用の縦アタッチメント枠１８、上アタッチメント枠１９、下アタッチメント枠２０が取り付けられており、火災の時に各アタッチメント枠１８，１９，２０は縦枠１１ａ、上枠１１ｂ、無目１２との間の任意の位置で熱膨張率の違いによる隙間を生じるから、第一、第二、第三の加熱発泡材３２、３６、４２は間隙を形成することなく外枠１１またはアタッチメント枠部１６の四面全周に連続して取り付けることが好ましい。
【００２３】
例えば、縦枠１１ａ、上枠１１ｂ、無目１２を組み立てる前に縦アタッチメント枠１８，上アタッチメント枠１９，下アタッチメント枠２０をそれぞれねじ固定すると共に第一〜第三の加熱発泡材３２、３６、４２をねじや接着剤等で各アタッチメント枠１８，１９，２０に固定し、その後、組み立ててタッピングねじ等で相互に連結して外枠１１を形成すれば、各アタッチメント枠１８，１９，２０の本体１８ａ，１９ａ，２０ａの全周に連続して第一〜第三の加熱発泡材３２、３６、４２を取り付けることができる。
なお、各アタッチメント枠１８、１９、２０は難燃性の材質を用いるものとし、例えばアルミ合材やスチール等の金属を用いてもよい。
【００２４】
本実施形態による段窓１０は上述の構成を備えているから、例えば室外で火災が発生した場合、外枠１１の縦枠１１ａ、上枠１１ｂ、無目１２と各アタッチメント枠１８，１９、２０とはその厚みの違いや材質の違い等によって、熱変形の割合が異なるため隙間が発生してしまう。しかも、その隙間は縦枠１１ａ、上枠１１ｂ、無目１２と各アタッチメント枠１８，１９，２０との間にそれぞれ設けた各シール材２８、３５、４１の伸縮量を超える大きさであると、各シール材２８、３５、４１では封止状態を維持できない。
これに対し、本実施形態において、例えば図７に示す外枠１１の縦枠１１ａと縦アタッチメント枠１８との間に隙間が発生したとしても、縦アタッチメント枠１８に固定した第一の加熱発泡材３２が縦枠１１ａを押圧するまで熱膨張して隙間を封止するため、屋外と屋内を連通させない。そのため、火炎や空気が屋内外を連通することを防止できる。
【００２５】
同様に、図８に示す外枠１１の上枠１１ｂと上アタッチメント枠１９との間に隙間が発生したとしても、上アタッチメント枠１９に固定した第二の加熱発泡材３６が熱膨張して上枠１１ｂを押圧するまで膨張して隙間を封止するため、屋外と屋内を連通させない。
また、図９においても、外枠１１の無目１２と下アタッチメント枠２０との間に隙間が発生したとしても、下アタッチメント枠２０に固定した第三の加熱発泡材４２が熱膨張して無目１２を押圧するまで膨張して隙間を封止するため、屋外と屋内を連通させない。そのため、火炎や空気が屋内外を連通することを防止できる。
【００２６】
上述のように本実施形態による段窓１０の排煙窓１４は、外枠１１の縦枠１１ａ、上枠１１ｂ、無目１２の内面に各アタッチメント枠１８、１９、２０をねじ止めして、その内側に障子１５を設けたため、火災等の際に、外枠１１の縦枠１１ａ、上枠１１ｂ、無目１２とアタッチメント枠１８、１９、２０との間で熱変形の度合いが相違して隙間が発生したとしても、アタッチメント枠１８、１９、２０に固定した第一から第三の加熱発泡材３２、３６、４２の熱膨張によって縦枠１１ａ、上枠１１ｂ、無目１２との隙間を封止できる。そのため、火炎や空気が屋内外を連通して火災が拡大することを防止できる。
【００２７】
しかも、外枠１１は店装商品であり、左右の縦枠１１ａ、上枠１１ｂ、下枠１１ｃ、無目１２はいずれも長手方向に直交する方向に切断した端面を有しており、第一〜第三の加熱発泡材３２、３６、４２を連続してアタッチメント枠１８，１９，２０の全周に形成することができる。
そのため、外枠１１の周方向のいずれの位置でアタッチメント枠１８，１９，２０との間に隙間が発生したとしても、第一〜第三の加熱発泡材３２、３６、４２の熱膨張によって全周に亘って隙間を確実に封止することができる。
【００２８】
なお、本発明による排煙窓１４は、上述した実施形態に限定されるものではなく、本発明の要旨を逸脱しない範囲で適宜の変更や置換等が可能である。以下に、本発明の変形例について説明するが、上述した実施形態で説明した部品や部材等と同一または同様なものについては同一の符号を用いて説明する。
例えば、上述した実施形態では、外枠１１とアタッチメント枠１８、１９、２０との間において、第一〜第三の加熱発泡材３２、３６、４２はアタッチメント枠１８、１９、２０に固定したが、これに代えて外枠１１の左右の縦枠１１ａ、上枠１１ｂ、無目１２の内面に固定するようにしてもよく、或いは、外枠１１とアタッチメント枠１８、１９、２０の両方に固定してもよい。
【００２９】
また、第一〜第三の加熱発泡材３２、３６、４２を左右の縦アタッチメント枠１８、上アタッチメント枠１９、下アタッチメント枠２０または外枠１１の左右の縦枠１１ａ、上枠１１ｂ、無目１２に固定する場合、各加熱発泡材３２、３６、４２はその厚み方向に大きく発泡するため、外枠１１の左右の縦枠１１ａ、上枠１１ｂ、無目１２とアタッチメント枠１８、１９、２０との一方において他方に対向する位置に固定することが好ましいが、必ずしも対向する位置に設けなくてもよい。少なくとも、外枠１１の左右の縦枠１１ａ、上枠１１ｂ、無目１２とアタッチメント枠１８、１９、２０で形成する空間内に加熱発泡材３２、３６、４２を固定すればよい。
【００３０】
なお、上述した実施形態では、外枠１１において縦枠１１ａと上枠１１ｂや無目１２との連結部において、縦枠１１ａの側面に上枠１１ｂや無目１２の端面を当接させてタッピングねじで連結するようにしたが、上枠１１ｂや無目１２の側面に縦枠１１ａの端面を当接させてタッピングねじで連結させてもよいことは言うまでもない。
【００３１】
また、第一〜第三の加熱発泡材３２，３６，４２は外枠１１の左右の縦枠１１ａ、上枠１１ｂ、無目１２またはアタッチメント枠１８、１９、２０の全周に連続して固定するようにしたが、一部に不連続な部分があってもよい。
また、上述した実施形態では、段窓１０の排煙窓１４について説明したが、本発明はこのようなものに限定されるものではなく、引き違い障子やＦＩＸ窓等を含む各種の窓やドア、カーテンウォール等を含む各種の建具に適用できる。例えば、上述した実施形態における無目１２は下枠に相当する構成を有しており、外枠１１について無目１２に代えて下枠を設けてもよいことはいうまでもない。
【符号の説明】
【００３２】
１０  段窓
１１  外枠
１２  無目
１４  排煙窓
１５  障子
１６  アタッチメント枠部
１８  縦アタッチメント枠
１９  上アタッチメント枠
２０  下アタッチメント枠
３２  第一の加熱発泡材
３６  第二の加熱発泡材
４２  第三の加熱発泡材
【図１】
2015052225.tif 000003
【図２】
2015052225.tif 000004
【図３】
2015052225.tif 000005
【図４】
2015052225.tif 000006
【図５】
2015052225.tif 000007
【図６】
2015052225.tif 000008
【図７】
2015052225.tif 000009
【図８】
2015052225.tif 000010
【図９】
2015052225.tif 000011
【図１０】
2015052225.tif 000012
【図１１】
2015052225.tif 000013
【図１２】
2015052225.tif 000014